(57)【要約】      （修正有）【課題】伝動機構が可動片の特定の部位に当接して損壊する事態を避け、伝動機構の使用寿命を延長することができるトナーカートリッジおよびそのサイドキャップを提供する。【解決手段】トナーカートリッジは電子撮像装置に内蔵され、側面開口部１２、伝動機構３０およびサイドキャップを有する。伝動機構は側面開口部を貫通する。サイドキャップは側面開口部に据えられる。電子撮像装置はレール４２、可動片４４および弾性ユニット４６を有する。弾性ユニットはレールと可動片との間に配置される。トナーカートリッジはレールによって電子撮像装置に着脱可能に装着される。サイドキャップは当接部を有する。当接部は電子撮像装置のレールの上方に据えられる。電子撮像装置の内部からトナーカートリッジを取り出す際、当接部は可動片に当接し、可動片を降下させ、伝動機構と可動片の当接による損傷を防止する。【選択図】図５
0003206121.tif 000002
【実用新案登録請求の範囲】
【請求項１】
トナーカートリッジに配置されるトナーカートリッジのサイドキャップであって、
前記トナーカートリッジは電子撮像装置に内蔵され、側面開口部と、前記側面開口部に突出した伝動機構を有し、
前記電子撮像装置は、レール、可動片および弾性ユニットを有し、
前記弾性ユニットは前記レールと前記可動片との間に配置されることで前記可動片を上向きに押し上げる弾力を生じ、
前記トナーカートリッジは、前記レールによって前記電子撮像装置に着脱可能に装着され、
前記トナーカートリッジの前記サイドキャップは、本体、穿孔および当接部を有し、
前記本体は、前記トナーカートリッジの前記側面開口部に嵌め込まれ、
前記穿孔は、前記本体に形成され、前記伝動機構の装着に用いられ、
前記当接部は、前記穿孔の外側に突出するように前記本体に形成され、かつ前記電子撮像装置の前記レールの上方に据えられ、
前記電子撮像装置の内部から前記トナーカートリッジを取り出す際、前記サイドキャップの前記当接部は前記電子撮像装置の前記可動片に当接し、前記可動片を降下させることを特徴とする、
トナーカートリッジのサイドキャップ。
【請求項２】
前記当接部は、前記本体から伸びて一体成型されることを特徴とする請求項１に記載のトナーカートリッジのサイドキャップ。
【請求項３】
さらにストッパーを有し、前記ストッパーは、前記穿孔の上側に位置するように前記本体に形成され、前記当接部と前記ストッパーとは一体に連結されることを特徴とする請求項２に記載のトナーカートリッジのサイドキャップ。
【請求項４】
前記当接部は、単一ユニットから構成され、線状嵌合部を有し、前記本体は嵌合溝を有し、前記線状嵌合部は前記嵌合溝に嵌め込まれることを特徴とする請求項１に記載のトナーカートリッジのサイドキャップ。
【請求項５】
さらにストッパーを有し、前記ストッパーは、前記穿孔の上側に位置するように前記本体に形成され、前記ストッパーは外側端部を有し、前記当接部はさらに凹状部を有し、前記ストッパーの前記外側端部は前記凹状部に嵌合されることを特徴とする請求項４に記載のトナーカートリッジのサイドキャップ。
【請求項６】
電子撮像装置に内蔵されるトナーカートリッジであって、
前記電子撮像装置は、レール、可動片および弾性ユニットを有し、
前記弾性ユニットは前記レールと前記可動片との間に配置されることで前記可動片を上向きに押し上げる弾力を生じ、
前記トナーカートリッジは、前記レールによって前記電子撮像装置に着脱可能に装着され、ハウジング、伝動機構およびサイドキャップを有し、
前記ハウジングは、側面開口部を有し、
前記伝動機構は、前記側面開口部に突出し、
前記サイドキャップは、本体、穿孔および当接部を有し、前記本体は前記ハウジングの前記側面開口部に嵌め込まれ、前記穿孔は前記本体に形成され、前記伝動機構の装着に用いられ、前記当接部は前記穿孔の外側に突出するように前記本体に形成され、かつ前記電子撮像装置の前記レールの上方に据えられ、
前記電子撮像装置の内部から前記トナーカートリッジを取り出す際、前記サイドキャップの前記当接部は前記電子撮像装置の前記可動片に当接し、前記可動片を降下させることを特徴とする、
トナーカートリッジ。
【請求項７】
前記サイドキャップの前記当接部は、前記本体から伸びて一体成型されることを特徴とする請求項６に記載のトナーカートリッジ。
【請求項８】
前記サイドキャップは、さらにストッパーを有し、前記ストッパーは前記穿孔の上側に位置するように前記本体に形成され、前記当接部と前記ストッパーとは一体に連結されることを特徴とする請求項７に記載のトナーカートリッジ。
【請求項９】
前記サイドキャップの前記当接部は、単一ユニットから構成され、線状嵌合部を有し、前記本体は嵌合溝を有し、前記線状嵌合部は前記嵌合溝に嵌め込まれることを特徴とする請求項６に記載のトナーカートリッジ。
【請求項１０】
前記サイドキャップは、さらにストッパーを有し、前記ストッパーは、前記穿孔の上側に位置するように前記本体に形成され、前記ストッパーは外側端部を有し、前記当接部はさらに凹状部を有し、前記ストッパーの前記外側端部は前記凹状部に嵌合されることを特徴とする請求項９に記載のトナーカートリッジ。
【考案の詳細な説明】
【技術分野】
【０００１】
本考案は、トナーカートリッジに関し、詳しくは電子撮像装置に内蔵されるトナーカートリッジおよびそのサイドキャップに関するものである。
【背景技術】
【０００２】
図１から図４に示したのは従来の電子撮像装置１（例えばプリンタや複写機）とそれに関連するトナーカートリッジ２である。
電子撮像装置１はレール１１と、レール１１に配置された弾性可動片１１１とを有する。トナーカートリッジ２はレール１１によって電子撮像装置１に着脱可能に装着され、図２に示すように開口部２１、サイドキャップ２２および伝動機構３を有する。サイドキャップ２２は開口部２１に配置され、ストッパー２２１を有する。伝動機構３はサイドキャップ２２を貫通し、一端が感光体ドラム（図中未表示）に連結される。サイドキャップ２２のストッパー２２１はサイドキャップ２２に突出し、伝動機構３の上方に位置する。
【０００３】
トナーカートリッジ２をレール１１に沿って電子撮像装置１に取り付ける際、伝動機構３の一部をレール１１に当接させることによって起動機構３をスライドさせる。伝動機構３が弾性可動片１１１までスライドすると、弾性可動片１１１が伝動機構３に当接する。このとき伝動機構３は一端が上に傾いてストッパー２２１に抑制される。伝動機構３の傾いた角度によって電子撮像装置１の駆動ユニット１３と伝動機構３とを容易に連結することができる。
駆動ユニット１３は電子撮像装置１に内蔵される。駆動ユニット１３の回転に伴って生じたエネルギーは伝動機構３によって感光体ドラムに伝導する。感光体ドラムは感光作用によって電気伝導を生じ、紙にトナーを転写させて印刷する。
【０００４】
図３に示すように、電子撮像装置１のレール１１によってトナーカートリッジ２を取り出す際、伝動機構３は弾性可動片１１１の出隅部１１２に当接し、そののち弾性可動片１１１を下向きに押さえながらスライドする。しかしながら、長期にわたると、弾性可動片１１１の出隅部１１２が原因で伝動機構３の構造（例えばシャフトの弾性ユニット）が破損するという事態は業者にとって望ましくない。
【考案の概要】
【考案が解決しようとする課題】
【０００５】
本考案は、上述した欠点に鑑み、伝動機構が可動片に当接して損壊するという事態を避け、伝動機構の使用寿命を延長することが可能なトナーカートリッジのサイドキャップを提供することを主な目的とする。
【０００６】
本考案は、電子撮像装置に適用されるトナーカートリッジを提供することをもう一つの目的とする。
【課題を解決するための手段】
【０００７】
上述した課題を解決するための、トナーカートリッジのサイドキャップは、トナーカートリッジに配置される。トナーカートリッジは電子撮像装置に内蔵され、側面開口部および伝動機構を有する。伝動機構は側面開口部を貫通する。電子撮像装置はレール、可動片および弾性ユニットを有する。弾性ユニットはレールと可動片との間に配置されることで可動片を上向きに傾ける弾力を生じる。トナーカートリッジはレールによって電子撮像装置に着脱可能に装着される。トナーカートリッジのサイドキャップは本体、穿孔および当接部を有する。本体はトナーカートリッジの側面開口部に嵌め込まれる。穿孔は本体に形成され、伝動機構の装着に用いられる。当接部は穿孔の外側に突出するように本体に形成され、かつ電子撮像装置のレールの上方に据えられる。電子撮像装置の内部からトナーカートリッジを取り出す際、当接部は可動片に当接し、可動片を降下させる。
【０００８】
上述した課題を解決するための、トナーカートリッジは電子撮像装置に内蔵される。電子撮像装置はレール、可動片および弾性ユニットを有する。弾性ユニットはレールと可動片との間に配置されることで可動片を上向きに傾ける弾力を生じる。トナーカートリッジはレールによって電子撮像装置に着脱可能に装着され、ハウジング、伝動機構およびサイドキャップを有する。ハウジングは側面開口部を有する。伝動機構は側面開口部に突出する。サイドキャップは本体、穿孔および当接部を有する。本体はハウジングの側面開口部に嵌め込まれる。穿孔は本体に形成され、伝動機構の装着に用いられる。当接部は穿孔の外側に突出するように本体に形成され、かつ電子撮像装置のレールの上方に据えられる。電子撮像装置の内部からトナーカートリッジを取り出す際、当接部は可動片に当接し、可動片を降下させる。
【考案の効果】
【０００９】
可動片が当接部に当接して降下するので、伝動機構が可動片に当接して損壊する事態を避け、伝動機構の使用寿命を延長することができる。
【図面の簡単な説明】
【００１０】
【図１】従来の電子撮像装置を示す斜視図である。
【図２】従来のトナーカートリッジを示す斜視図である。
【図３】従来の電子撮像装置に内蔵されたトナーカートリッジの一部分を示す斜視図である。
【図４】従来のトナーカートリッジのサイドキャップを示す側面図である。
【図５】本考案の第１実施形態によるトナーカートリッジが内蔵された電子撮像装置の一部分を示す斜視図である。
【図６】本考案の第１実施形態によるトナーカートリッジの一部分を示す分解斜視図である。
【図７】本考案の第１実施形態によるトナーカートリッジのサイドキャップを示す側面図である。
【図８】本考案の第２実施形態によるトナーカートリッジのサイドキャップを示す側面図である。
【図９】本考案の第１実施形態によるトナーカートリッジを電子撮像装置から取り出すプロセスを示す側面図である。
【図１０】本考案の第１実施形態によるトナーカートリッジを電子撮像装置から取り出すプロセスを示す側面図である。
【図１１】本考案の第１実施形態によるトナーカートリッジを電子撮像装置から取り出すプロセスを示す側面図である。
【図１２】本考案の第３実施形態によるトナーカートリッジのサイドキャップを示す斜視図である。
【図１３】本考案の第３実施形態によるトナーカートリッジのサイドキャップを示す分解斜視図である。
【考案を実施するための形態】
【００１１】
以下、本考案によるトナーカートリッジおよびそのサイドキャップを図面に基づいて説明する。
（第１実施形態）
図５から図１０に示したのは本考案の第１実施形態によるトナーカートリッジ１０である。
図５および図６に示すように、トナーカートリッジ１０は電子撮像装置４０に内蔵され、ハウジング１４、伝動機構３０およびサイドキャップ２０を有する。ハウジング１４は側面開口部１２を有する。伝動機構３０は一端が側面開口部１２に突出し、電子撮像装置４０の駆動ユニット４１に連結され、他端がハウジング１４の中の感光体ドラム（図中未表示）に連結される。上述した構造により、駆動ユニット４１の回転に伴って生じたエネルギーは伝動機構３０によって感光体ドラムに伝導する。感光体ドラムは感光作用によって電気伝導を生じ、紙にトナーを転写させて印刷する。
電子撮像装置４０はレール４２、可動片４４および弾性ユニット４６を有する。レール４２は電子撮像装置４０の内壁に形成され、凹状溝４３を有する。可動片４４はレール４２の凹状溝４３に配置される。弾性ユニット４６はレール４２と可動片４４との間の凹状溝４３に配置されることで可動片４４を上向きに傾ける弾力を生じる。トナーカートリッジ１０は電子撮像装置４０のレール４２によって電子撮像装置４０に着脱可能に装着される。電子撮像装置４０において、レール４２は内側端部４２１および外側端部４２３を有する。可動片４４は外側端部４２３から離れ、内側端部４２１に近い。
トナーカートリッジ１０を電子撮像装置４０の奥へ入れる際、レール４２の内側端部４２１の方向に向かってトナーカートリッジ１０をスライドさせればよい。トナーカートリッジ１０を電子撮像装置４０の奥から取り出す際、レール４２の外側端部４２３の方向に向かってトナーカートリッジ１０をスライドさせればよい。本実施形態において、レール１１は構造が平板状を呈するが、これに限らず、別の実施形態に応じて変わってもよい。トナーカートリッジ２は平板状のレール１１に沿ってスライドする。
【００１２】
図７に示すように、トナーカートリッジ１０のサイドキャップ２０は本体２３、穿孔２５、当接部２７およびストッパー２９を有する。本体２３はトナーカートリッジ１０の側面開口部１２に嵌め込まれ、側面開口部１２の一部または全体を遮蔽する。穿孔２５は本体２３に形成され、伝動機構３０の装着に用いられる。当接部２７は本体２３から伸びて一体成型され、穿孔２５の外側（即ちレール４２の外側端部４２３に近い一側）に突出し、レール４２の上方に据えられる。ストッパー２９は本体２３から伸びて形成され、穿孔２５の上側に位置する。
本実施形態において、当接部２７とストッパー２９とは一体に連結されるが、これに限らず、別の実施形態に応じて分離するか、それぞれ単一ユニットからなってもよい。当接部２７は穿孔２５の外側に位置する外側端部がＶ字型を呈するが、これに限らず、別の実施形態に応じて形が変わってもい。
【００１３】
（第２実施形態）
図８に示すように、第２実施形態によるトナーカートリッジにおいて、サイドキャップ５０の当接部５２は外側端部が円弧状、即ちＵ字型を呈する。
【００１４】
トナーカートリッジ１０を電子撮像装置４０に装着する際、図５に示すように、伝動機構３０はレール４２に沿って奥へスライドし、可動片４４に至ると可動片４４を押さえ、降下させる。このとき可動片４４は反発作用によって上昇し、伝動機構３０に抵抗する。伝動機構３０は上に傾いてストッパー２９に抑制される。伝動機構３０が傾いて所定の位置につけば、伝動機構３０と駆動ユニット４１とをスムーズに連結することができる。
図９から図１１に示したのはトナーカートリッジ１０を電子撮像装置４０から取り出すプロセスである。図９に示すように、当接部２７は外側端部が可動片４４に当接することによって可動片４４を降下させ、Ｖ字型の構造によって直ちに可動片４４の出隅部４４１との衝突を避ける。続いて、図１０に示すように、伝動機構３０は可動片４４の表面をスライドする。トナーカートリッジ１０が外部へ持続的にスライドし、伝動機構３０から可動片４４を解放する際、図１１に示すように、弾性ユニット４６は可動片４４を上に傾ける弾力を生じ、可動片４４を最初の位置に復元させる。
【００１５】
トナーカートリッジ１０が奥から外部へ移動する際、レール４２の上側縁部に突出した可動片４４の出隅部４４１は当接部２７に押さえられ、降下するため、可動片４４は一時的にレール４２の凹状溝４３に入り込む。従って、従来の構造のように伝動機構３０が長期にわたって出隅部４４１に当接して特定の部位を損壊させるという現象が発生することなく、伝動機構３０の使用寿命を延長することができる。
【００１６】
（第３実施形態）
本考案は実際のニーズに応じてトナーカートリッジのサイドキャップの構造を変更し、当接部を本体とは異なるユニットから構成することができる。
図１２および図１３に示すように、本考案の第３実施形態によるトナーカートリッジにおいて、サイドキャップ６０の当接部６２は単一ユニットから構成され、線状嵌合部６３および凹状部６４を有する。サイドキャップ６０の本体６５は円弧状の嵌合溝６８、穿孔６６およびストッパー７０を有する。嵌合溝６８は穿孔６６の外側に位置する。ストッパー７０は穿孔６６の上方に形成される。サイドキャップ６０を組み立てる際、当接部６２を穿孔６６の軸方向に平行し、本体６５に装着すると、線状嵌合部６３が嵌合溝６８に嵌め込まれ、ストッパーの外側端部７２が当接部６２の凹状部６４に嵌め込まれる、即ち当接部６２と本体６５が結合する。
上述したとおり、単一ユニットの当接部６２を購入し、それと一般のトナーカートリッジのサイドキャップとを組み合わせれば伝動機構３０の使用寿命を延長することができる。一方、本実施形態は当接部６２と本体６５とを結合させるために当接部６２に線状嵌合部６３と凹状部６４を配置するが、これに限らず、粘着方式などによって当接部６２と本体６５とを結合させてもよい。
【００１７】
以上、本考案は、上記実施形態になんら限定されるものではなく、考案の趣旨を逸脱しない範囲において種々の形態で実施可能である。
【符号の説明】
【００１８】
（従来の技術）
１      電子撮像装置  
１１    レール  
１１１  弾性可動片  
１３    駆動機構  
２      トナーカートリッジ  
２１    開口部  
２２    サイドキャップ  
２２１  ストッパー  
３      伝動機構
（本考案の技術）
１０    トナーカートリッジ  
１２    側面開口部  
１４    ハウジング  
２０    サイドキャップ  
２３    本体  
２５    穿孔  
２７    当接部  
２９    ストッパー  
３０    伝動機構  
４０    電子撮像装置  
４１    駆動ユニット  
４１    レール  
４２１  内側端部  
４２３  外側端部  
４３    凹状溝  
４４    可動片  
４４１  出隅部  
４６    弾性ユニット  
５０    サイドキャップ  
５２    当接部  
６０    サイドキャップ  
６２    当接部  
６３    線状嵌合部  
６４    凹状部  
６５    本体  
６６    穿孔  
６８    嵌合溝  
７０    ストッパー
７２    外側端部
【図１】
0003206121.tif 000003
【図２】
0003206121.tif 000004
【図３】
0003206121.tif 000005
【図４】
0003206121.tif 000006
【図５】
0003206121.tif 000007
【図６】
0003206121.tif 000008
【図７】
0003206121.tif 000009
【図８】
0003206121.tif 000010
【図９】
0003206121.tif 000011
【図１０】
0003206121.tif 000012
【図１１】
0003206121.tif 000013
【図１２】
0003206121.tif 000014
【図１３】
0003206121.tif 000015